(57)【要約】【課題】自動車からの緊急脱出時に、運転者の手の届く範囲に設置しておくことが容易となるガラスカッターを提供すること。【解決手段】本考案のガラスカッター１は、ガラスを切断する切断部１０と、切断部１０に連設された本体フレーム２０とを有し、本体フレーム２０は、短辺同士が所定の角度で交線２１を形成する２つの長方形状の平面２２，２３を有し、切断部１０は、交線２１上に配設されるものである。【選択図】図１
0003206581.tif 000002
【実用新案登録請求の範囲】
【請求項１】
ガラスを切断する切断部と、前記切断部に連設された本体フレームとを有するガラスカッターにおいて、
前記本体フレームは、短辺同士が所定の角度で交線を形成する２つの長方形状の平面を有し、
前記切断部は、前記交線上に配設される、
ことを特徴とするガラスカッター。
【請求項２】
請求項１記載のガラスカッターにおいて、
前記平面から突出する前記切断部の高さと同じ高さの突起部が前記平面上の前記切断部から所定の距離を置いた箇所に配設される、
ことを特徴とするガラスカッター。
【請求項３】
請求項１または２記載のガラスカッターにおいて、
前記本体フレームは、シートベルトカッターを有する、
ことを特徴とするガラスカッター。
【請求項４】
請求項１から３のいずれか１項に記載のガラスカッターにおいて、
前記本体フレームは、ガラスに打撃を与えるためのハンマー部を有する、
ことを特徴とするガラスカッター。
【請求項５】
請求項１から４のいずれか１項に記載のガラスカッターにおいて、
前記本体フレームは、発光手段を有する、
ことを特徴とするガラスカッター。
【請求項６】
請求項１から５のいずれか１項に記載のガラスカッターにおいて、
前記切断部を覆うカバーを有する、
ことを特徴とするガラスカッター。
【請求項７】
請求項４記載のガラスカッターにおいて、
前記本体フレームは、前記ハンマー部が設けられる面上に、複数のガラス面吸着手段を有する、
ことを特徴とするガラスカッター。
【考案の詳細な説明】
【技術分野】
【０００１】
本考案は、ガラスカッターに関する。
【背景技術】
【０００２】
自動車からの緊急脱出時に、自動車の窓ガラスをハンマーで破壊して脱出を図るための器具がある（たとえば、特許文献１参照）。
【先行技術文献】
【特許文献】
【０００３】
【特許文献１】特開２０１３−８５８９３号公報
【考案の概要】
【考案が解決しようとする課題】
【０００４】
上述のように、ハンマーを利用して自動車の窓ガラスを破壊する器具は、窓ガラスを破壊し易くするために、ハンマーが一定の重量を必要とすると共に、ハンマーを窓ガラスに打ち付けるために一定の長さの柄を必要とする。このため、上述の器具は、小型化および軽量化には不向きである。
【０００５】
したがって、上述の器具は、ユーザ（運転者）が常時携行したり、運転席付近のユーザが手の届く範囲に取り付けておくといったことが難しい。このため、自動車からの緊急脱出時に、ユーザの手の届く範囲に上述の器具が無いといった事態が発生し易い。
【０００６】
本考案は、このような背景の下に行われたものであって、自動車からの緊急脱出時に、ユーザの手の届く範囲に設置しておくことが容易となるガラスカッターを提供することを目的とする。
【課題を解決するための手段】
【０００７】
本考案は、ガラスを切断する切断部と、切断部に連設された本体フレームとを有するガラスカッターにおいて、本体フレームは、短辺同士が所定の角度で交線を形成する２つの長方形状の平面を有し、切断部は、交線上に配設されるものである。
【０００８】
上述のガラスカッターにおいて、平面から突出する切断部の高さと同じ高さの突起部が平面上の切断部から所定の距離を置いた箇所に配設されることができる。
【０００９】
上述のガラスカッターにおいて、本体フレームは、シートベルトカッターを有することができる。
【００１０】
上述のガラスカッターにおいて、本体フレームは、ガラスに打撃を与えるためのハンマー部を有することができる。このとき、本体フレームは、ハンマー部が設けられる面上に、複数のガラス面吸着手段を有することができる。
【００１１】
上述のガラスカッターにおいて、本体フレームは、発光手段を有することができる。
【００１２】
上述のガラスカッターにおいて、切断部を覆うカバーを有することができる。
【考案の効果】
【００１３】
本考案によれば、自動車からの緊急脱出時に、ユーザの手の届く範囲に設置しておくことが容易となるガラスカッターを提供することができる。
【図面の簡単な説明】
【００１４】
【図１】本考案の第一の実施の形態に係るガラスカッターの斜視図である。
【図２】図１のガラスカッターでガラス面に傷を付けている状況を示す図である。
【図３】図１のガラスカッターの分解斜視図である。
【図４】図１のガラスカッターを正面から見た図である。
【図５】図１のガラスカッターを側面から見た図である。
【図６】本考案の第二の実施の形態に係るガラスカッターの斜視図である。
【図７】図６のガラスカッターを正面から見た図である。
【図８】図６のガラスカッターを側面から見た図であり、吸盤がガラス面に吸着した状態を示す図である。
【考案を実施するための形態】
【００１５】
（第一の実施の形態）
本考案の第一の実施の形態に係るガラスカッター１について、図１〜図５を参照して説明する。
【００１６】
（ガラスカッター１の要部構成について）
ガラスカッター１は、図１に示すように、ガラスを切断する切断部１０と、切断部１０に連設された本体フレーム２０とを有する。本体フレーム２０は、短辺同士が所定の角度で交線２１を形成する２つの長方形状の平面２２，２３を有し、切断部１０は、交線２１上に配設される。なお、所定の角度は、１１０度である。詳細は後述するが、ガラスカッター１は、上述の要部構成に加え、突起部２４，２５、ストラップ取付孔３０、シートベルトカッター４０、ハンマー部５０、発光手段としてのＬＥＤ（発光ダイオード）６０、ＬＥＤ６０のスイッチ６１、および着脱自在のカバー７０を有する。
【００１７】
（平面２２，２３および突起部２４，２５について）
ガラスカッター１は、図１および図２に示すように、切断部１０を中心として対象となる平面２２，２３を有する。これによれば、ガラスカッター１の表裏を気にすることなく、表裏のいずれであっても同じようにガラスを切断することができる。
【００１８】
また、ガラスカッター１は、平面２２，２３から突出する切断部１０の高さｈと同じ高さの突起部２４，２５が平面２２，２３上の切断部１０から所定の距離を置いた箇所に配設される。これにより、図２に示すように、切断部１０がガラス面ｇに接したときに、平面２２は、ガラス面ｇと平行を保つ。また、このとき、図２の一点鎖線で示す方向からユーザがガラスカッター１に力を加えると共に、ユーザの手前方向にガラスカッター１を引くと、切断部１０は、ガラス面ｇに対して５５度の傾斜角で切断移動することできる。この角度は、ガラス面ｇでの切断移動を最もスムーズに行うことができる角度である（たとえば、特開平９−１３６３１８号公報の段落「００１０」参照）。
【００１９】
（切断部１０について）
切断部１０は、図３の分解図に示すように、円形のカッター部１１と、カッター部１１の回転軸１２と、回転軸１２の支持部材１３とから構成される。支持部材１３は脚部１４を有し、脚部１４がフレーム部材２０ｂの溝部２６ｃに嵌め込まれることにより、支持部材１３が本体フレーム２０に固定される。なお、支持部材１３の上面は、平面２２，２３の一部になる。
【００２０】
（本体フレーム２０について）
本体フレーム２０は、フレーム部材２０ａ，２０ｂにより構成される。フレーム部材２０ａは、支持部材１３が嵌め込まれる切欠部２６ａと、後述するハンマー部５０が取り付けられる孔２７と、後述するシートベルトカッター４０の上顎部４１ａおよび下顎部４２ｂと、後述するＬＥＤ６０が取り付けられる孔２８と、後述するＬＥＤ６０のスイッチ６１が取り付けられる孔２８ａと、ストラップ取付孔３０ａとを有する。
【００２１】
フレーム部材２０ｂは、支持部材１３が嵌め込まれる切欠部２６ｂと、支持部材１３の脚１４が嵌め込まれる溝部２６ｃと、後述するシートベルトカッター４０の上顎部４１ｂおよび下顎部４２ｂと、シートベルトカッター４０の刃部４３が嵌め込まれる凹部２９と、ストラップ取付孔３０ｂとを有する。なお、切欠部２６ａ，２６ｂ、上顎部４１ａ，４１ｂ、下顎部４２ａ，４２ｂ、ストラップ取付孔３０ａ，３０ｂは、それぞれ互いに組み合わさって、切欠部２６、上顎部４１、下顎部４２、ストラップ取付孔３０を形成する。
【００２２】
（ストラップ取付孔３０について）
ストラップ取付孔３０は、ストラップや紐などを通し、ストラップや紐でガラスカッター１をぶら下げるようにして、ガラスカッター１をユーザ（運転者）の身近に置くようにすることができる。このときに、特許文献１のような従来の器具と比較すると、ガラスカッター１は、小型軽量化を図ることができるので、ユーザの身近な場所にガラスカッター１をぶら下げて設置してもユーザの邪魔にならないようにすることができる。
【００２３】
（シートベルトカッター４０について）
シートベルトカッター４０は、図１に示すように、上顎部４１、下顎部４２、および刃部４３により構成される。刃部４３は、上顎部４１、下顎部４２の間から挿入されるシートベルトに対し、シートベルトを最も容易に切断可能な角度となるように、斜めに設けられる。さらに、下顎部４２は、付根となる部分から細長く伸びている。このため、下顎部４２は、一定の弾力性を有し、シートベルトの切断に際しては、シートベルトと共に刃部４３に対して上下に揺れ動き、刃部４３によるシートベルトの切断を容易にすることができる。
【００２４】
（ハンマー部５０について）
ハンマー部５０は、たとえばステンレス製であり、図４に示すように、先端部が尖っている。切断部１０により傷が付けられたガラス面ｇの上にハンマー部５０の先端部を置き、本体フレーム２０のハンマー部５０が設けられていない側の面を手などで打撃する。これにより、ハンマー部５０の尖った先端部がガラス面の傷を打撃し、ガラスを容易に破壊することができる。
【００２５】
（ＬＥＤ６０について）
ＬＥＤ６０により、ガラスカッター１を懐中電灯または救助信号の発光手段として利用することができる。ＬＥＤ６０は、スイッチ６１によりＯＮ／ＯＦＦすることができる。また、本体フレーム２０の内部には、ＬＥＤ６０に電力を供給する電池６２が内蔵されている。電池６２は、たとえばボタン電池（ＣＲ２０３２など）である。図示は省略するが電池６２を交換するための蓋がフレーム部材２０ｂに設けられている。
【００２６】
（カバー７０について）
カバー７０は、平常時は、本体フレーム２０に、切断部１０を覆うように被せられる。非常時は、本体フレーム２０からカバー７０を取り去って切断部１０を露出させる。カバー７０によれば、平常時に、ユーザが誤って切断部１０に触れることを防ぐことができる。
【００２７】
（第二の実施の形態について）
本考案の第二の実施の形態に係るガラスカッター１ａについて、図６〜図８を参照して説明する。ガラスカッター１ａは、ガラスカッター１の部材に加え、ハンマー部５０が取り付けられている本体フレーム２０ａの面に、ガラス面吸着手段としての吸盤８０を有する。図６の例では、３個の吸盤８０を有するが、吸盤８０の個数は、３個でなくてもよい。たとえば、２個の場合には、ハンマー部５０を挟んで上下または左右に配設すればよい。４個や５個の場合には、ハンマー部５０の周囲に等間隔で配設すればよい。いずれの場合も吸盤８０をガラス面ｇに吸着させたときに、ハンマー部５０の先端部をガラス面ｇに対し、安定的に接近させることができるようにする。
【００２８】
なお、吸盤８０をガラス面ｇに吸着させたときに、ハンマー部５０の先端部がガラス面ｇよりも僅かに離れるように吸盤８０の高さを設定する。これにより、平常時に、ガラスカッター１ａの常設位置として、吸盤８０を利用してガラスカッター１ａをガラス面ｇに吸着させておくような場合、自動車の振動等により、ハンマー部５０の先端部がガラス面ｇを傷付けることを避けることができる。
【００２９】
このようなガラスカッター１ａによれば、切断部１０でガラス面ｇに傷を付けた後、ガラス面ｇに吸盤８０を吸着させることで、ユーザがガラスカッター１ａから手を離しても、ハンマー部５０の先端部がガラス面ｇに接近した状態を保つことができる。これにより、ハンマー部５０でガラス面ｇを打撃する際に、ユーザは、本体フレーム２０を手で持つ必要がなく、ガラス面ｇへの打撃を安全かつ確実に行うことができる。
【００３０】
（本考案の実施の形態に係る効果について）
以上説明したように、ガラスカッター１，１ａによれば、自動車からの緊急脱出時に、ユーザの手の届く範囲に設置しておくことが容易となる。また、ガラスカッター１，１ａによれば、切断部１０によりガラス面ｇに傷を付けた後に、ハンマー部５０によりガラス面ｇを打撃してガラスを破壊するので、ガラス面ｇへの打撃力も小さくて済むと共に、ガラスの飛散を少なくすることができる。
【００３１】
さらに、ガラスカッター１ａによれば、吸盤８０によって、ユーザがガラスカッター１ａから手を離しても、ハンマー部５０をガラス面ｇに安定的に接近させておくことができるので、安全かつ確実にガラスを破壊することができる。
【００３２】
また、切断部１０は、二つの平面２２，２３の交線２１に設けられているので、ガラス面ｇに対し、平面２２，２３のいずれの側を近付けてもガラスを切断できる利便性を有する。
【００３３】
（その他の実施の形態について）
上述した実施の形態は、その要旨を逸脱しない限りにおいて、様々に変更が可能である。たとえば、上述した実施の形態では、面２２と面２３とは１１０度で交わると説明したが、交わる角度は様々に変更することができる。一例として、面２２と面２３とは１２０度で交わってもよい。この場合、図２に示す一点鎖線とガラス面ｇとの成す角度は６０度になる。
【００３４】
また、ガラスカッター１，１ａにおけるＬＥＤ６０に代えて、ＥＬ（エレクトロルミネッセンス）などの他の発光手段を用いてもよい。または、ガラスカッター１，１ａにおけるＬＥＤ６０などの発光手段は省略してもよい。
【００３５】
また、吸盤８０の代わりに、粘着性を有するシートやマットをガラス面ｇへの吸着部材として用いてもよい。
【符号の説明】
【００３６】
１，１ａ…ガラスカッター、１０…切断部、２０…本体フレーム、２１…交線、２２，２３…平面、２４，２５…突起部、４０…シートベルトカッター、５０…ハンマー部、６０…ＬＥＤ（発光手段）、７０…カバー、８０…吸盤（ガラス面吸着手段）
【図１】
0003206581.tif 000003
【図２】
0003206581.tif 000004
【図３】
0003206581.tif 000005
【図４】
0003206581.tif 000006
【図５】
0003206581.tif 000007
【図６】
0003206581.tif 000008
【図７】
0003206581.tif 000009
【図８】
0003206581.tif 000010